(57)【要約】【課題】仮設トイレの排水横管内の水位を容易に検出することができる水位計を提供する。【解決手段】地中に埋設される排水横管１２と、下端部が排水横管に接続されるとともに上端部が地表に開口する縦管２１と、排水横管に接続されるとともに地表に据え付けられた便器と、を備える仮設トイレ１１において、排水横管内の水位を測定する水位計４１であって、排水横管内の水に浮かぶ浮体４２と、浮体に下端部が固定され、縦管内に挿入される線状部材４３と、線状部材の上端部に固定された第１指標４４と、縦管の上端部に着脱可能に取付けられ、第１指標が挿入可能な貫通孔５１ａが形成された蓋部４６と、を備え、排水横管内の水位が上昇して水位が所定の高さになったときに、浮体とともに線状部材及び第１指標が上方に移動して、第１指標が蓋部の貫通孔から上方に突出する。【選択図】図２
2018205269.tif 000002
【特許請求の範囲】
【請求項１】
地中に埋設される排水横管と、下端部が前記排水横管に接続されるとともに上端部が地表に開口する縦管と、前記排水横管に接続されるとともに地表に据え付けられた便器と、を備える仮設トイレにおいて、前記排水横管内の水位を測定する水位計であって、
前記排水横管内の水に浮かぶ浮体と、
前記浮体に下端部が固定され、前記縦管内に挿入される線状部材と、
前記線状部材の上端部に固定された第１指標と、
前記縦管の上端部に着脱可能に取付けられ、前記第１指標が挿入可能な貫通孔が形成された蓋部と、
を備え、
前記排水横管内の水位が上昇して前記水位が所定の高さになったときに、前記浮体とともに前記線状部材及び前記第１指標が上方に移動して、前記第１指標が前記蓋部の前記貫通孔から上方に突出する水位計。
【請求項２】
前記第１指標の上方に連なるように配置されて前記線状部材の上端部に固定された第２指標を備え、
前記第１指標と前記第２指標とは、ＪＩＳ  Ｚ  ８７３０：２００９で規定される色差が１０以上異なる請求項１に記載の水位計。
【請求項３】
上端部が前記蓋部に固定され、内部に前記線状部材が長手方向に移動可能に挿入された管状部材を備える請求項１又は２に記載の水位計。
【請求項４】
上方に向かって凹み内部に前記浮体を収容可能な凹部が下面に形成され、前記管状部材の下端部に固定された収容部材を備える請求項３に記載の水位計。
【請求項５】
請求項１から４のいずれか一項に記載の水位計と、
前記仮設トイレと、
を備え、
前記排水横管は、前記縦管が接続された部分よりも前記便器が接続された部分の方が下方となるように、水平面に対して傾いていることを特徴とする仮設トイレシステム。
【請求項６】
請求項５に記載の仮設トイレシステムを用いて、
前記排水横管の内径を４００ｍｍ以上５００ｍｍ以下、前記排水横管の勾配を５％以上とし、
前記排水横管の内径に対する水深の比率が２２％以上となるように初期水を貯水した状態で、１日１回排水する汚物搬送方法。
【発明の詳細な説明】
【技術分野】
【０００１】
本発明は、水位計、仮設トイレシステム、及び汚物搬送方法に関する。
【背景技術】
【０００２】
従来、災害時等に用いる仮設トイレとして、例えば特許文献１及び２に記載された仮設トイレが検討されている。この種の仮設トイレは、地中に埋設される排水横管と、下端部が排水横管に接続されるとともに上端部が地表に開口する縦管と、排水横管に接続されるとともに地表に据え付けられた便器と、を備えている。
【０００３】
排水横管の下流側の端部における下方の部分は、貯水ゲートにより遮蔽されている。このため、縦管等を通して供給された水は、排水横管内に貯留される。便器を使用すると、汚物が排水横管内に貯留された水内に投入される。貯水ゲートによる遮蔽を解除すると、汚物は水とともに排水横管内を下流側に流れる。
排水横管内の水位が高いほど汚物が流れやすくなるため、排水横管内の水位の管理は重要である。
【先行技術文献】
【特許文献】
【０００４】
【特許文献１】特許第４１０４１９７号公報
【特許文献２】特許第４６７９４２６号公報
【発明の概要】
【発明が解決しようとする課題】
【０００５】
しかしながら、特許文献１の仮設トイレでは、排水横管内の汚物から臭いが生じているとともに、排水横管内の水の水面は、地表から縦管の長さ程度下方の深い位置にある。このため、排水横管内の水位の測定は、困難である。
【０００６】
本発明は、このような問題点に鑑みてなされたものであって、仮設トイレの排水横管内の水位を容易に検出することができる水位計、この水位計を備える仮設トイレシステム、及びこの仮設トイレシステムを用いた汚物搬送方法を提供することを目的とする。
【課題を解決するための手段】
【０００７】
上記課題を解決するために、この発明は以下の手段を提案している。
本発明の水位計は、地中に埋設される排水横管と、下端部が前記排水横管に接続されるとともに上端部が地表に開口する縦管と、前記排水横管に接続されるとともに地表に据え付けられた便器と、を備える仮設トイレにおいて、前記排水横管内の水位を測定する水位計であって、前記排水横管内の水に浮かぶ浮体と、前記浮体に下端部が固定され、前記縦管内に挿入される線状部材と、前記線状部材の上端部に固定された第１指標と、前記縦管の上端部に着脱可能に取付けられ、前記第１指標が挿入可能な貫通孔が形成された蓋部と、を備え、前記排水横管内の水位が上方に移動して前記水位が所定の高さになったときに、前記浮体とともに前記線状部材及び前記第１指標が上昇して、前記第１指標が前記蓋部の前記貫通孔から上方に突出することを特徴としている。
【０００８】
この発明によれば、排水横管内の水位が上昇するにしたがって、浮体に作用する浮力により、浮体とともに線状部材及び第１指標が上方に移動する。蓋部の貫通孔から第１指標が上方に突出したことを操作者が水位計の外部から目視により認識することで、仮設トイレの排水横管内の水位が所定の高さになったことを容易に検出することができる。
【０００９】
また、上記の水位計において、前記第１指標の上方に連なるように配置されて前記線状部材の上端部に固定された第２指標を備え、前記第１指標と前記第２指標とは、ＪＩＳ  Ｚ  ８７３０：２００９で規定される色差が１０以上異なってもよい。
この発明によれば、第１指標と第２指標とを色差の違いにより目視で確実に識別することができるため、仮設トイレの排水横管内の水位が所定の高さになったことをさらに容易に検出することができる。
【００１０】
また、上記の水位計において、上端部が前記蓋部に固定され、内部に前記線状部材が長手方向に移動可能に挿入された管状部材を備えてもよい。
この発明によれば、管状部材により線状部材が長手方向に沿って移動するのを案内することができ、浮体に作用する浮力により、第１指標を蓋部の貫通孔からより確実に上方に突出させることができる。
【００１１】
また、上記の水位計において、上方に向かって凹み内部に前記浮体を収容可能な凹部が下面に形成され、前記管状部材の下端部に固定された収容部材を備えてもよい。
この発明によれば、収容部材が浮体を上方から覆うことで、浮体の上方から浮体に向かって流れる水により浮体が上方に移動しにくくなるのを抑えることができる。
【００１２】
また、本発明の仮設トイレシステムは、上記のいずれかに記載の水位計と、前記仮設トイレと、を備え、前記排水横管は、前記縦管が接続された部分よりも前記便器が接続された部分の方が下方となるように、水平面に対して傾いていることを特徴としている。
この発明によれば、排水横管内において水位が比較的低くなる部分の水位を、水位計により検出することができる。そして、排水横管内の水位を十分に確保した状態で仮設トイレを使用することで、排水横管内の汚物を下流側に流しやすくすることができる。
【００１３】
また、本発明の汚物搬送方法は、上記に記載の仮設トイレシステムを用いて、前記排水横管の内径を４００ｍｍ以上５００ｍｍ以下、前記排水横管の勾配を５％以上とし、前記排水横管の内径に対する水深の比率が２２％以上となるように初期水を貯水した状態で、１日１回排水することを特徴としている。
この発明によれば、水がオーバーフローするまで初期水を注水していた従来の方法に比べて、初期水を少なくして汚物を搬送することができる。
【発明の効果】
【００１４】
本発明の水位計及び仮設トイレシステムによれば、仮設トイレの排水横管内の水位を容易に検出することができる。
【図面の簡単な説明】
【００１５】
【図１】本発明の一実施形態の仮設トイレシステムの全体構成を模式的に示す正面図である。
【図２】同仮設トイレシステムにおける水位計の一部を破断した正面図である。
【図３】同水位計における蓋部の平面図である。
【図４】同水位計におけるキャップの一部を破断した平面図である。
【図５】同仮設トイレシステムの動作を模式的に示す側面図である。
【発明を実施するための形態】
【００１６】
（第１実施形態）
以下、本発明に係る仮設トイレシステムの第１実施形態を、図１から図５を参照しながら説明する。
図１に示すように、本実施形態の仮設トイレシステム１は、仮設トイレ１１と、仮設トイレ１１の後述する排水横管１２内の水位を測定する本実施形態の水位計４１と、を備えている。仮設トイレ１１は、排水横管１２と、第１縦管（縦管）２１と、複数の第２縦管２３と、複数の便器２６と、を有している。
例えば、排水横管１２は、複数の排水本管１３を直列に接続して構成されている。排水本管１３の第１端部には、受け口が形成されている。排水本管１３は、ポリエチレン等の樹脂や、金属等で形成されている。１本の排水本管１３の受け口を、他の排水本管１３の第２端部に接続することで、複数の排水本管１３が直線状に接続されている。
排水横管１２は、第１端部１２ａよりも第２端部１２ｂの方が下方となるように、水平面に対して傾いている。以下では、第２端部１２ｂに対する第１端部１２ａ側を上流側と言い、第１端部１２ａに対する第２端部１２ｂ側を下流側と言う。
なお、図１では、排水横管１２を水平面に沿うように示している。例えば、排水本管１３の内径は４５０ｍｍである。排水横管１２は、勾配で５％以上傾いた状態で、地中に埋設されている。
【００１７】
複数の排水本管１３のうち、最も上流側の排水本管１３の上流側の端は封止されている。複数の排水本管１３のうち、最も下流側の排水本管１３の下流側の端には、仕切弁１５が取付けられている。仕切弁１５は、弁本体１５ａと、操作ロッド１５ｂと、を備えている。
弁本体１５ａは、排水本管１３の開口の上下方向の一部を覆う。操作ロッド１５ｂは、弁本体１５ａから上方に向かって延びている。操作ロッド１５ｂを上下方向に移動させることで、弁本体１５ａが排水本管１３の開口の下部を遮蔽して開口の上部を開放した遮蔽状態と、弁本体１５ａが排水本管１３の開口の上部に移動して開口の下部を開放した開放状態と、に切り替えることができる。
【００１８】
第１縦管２１及び第２縦管２３は、排水本管１３と同様にそれぞれ構成されている。第１縦管２１及び第２縦管２３は、上下方向に沿って延びるようにそれぞれ配設されている。
第１縦管２１の下端部は、管継手２２を介して排水横管１２の排水本管１３に接続されている。第１縦管２１の下端部は、排水横管１２の上流側の端部に接続されている。第１縦管２１の上端部は、地表に開口している。
第２縦管２３の下端部は、管継手２４を介して排水横管１２の排水本管１３に接続されている。第２縦管２３の下端部は、排水横管１２における第１縦管２１が接続された部分よりも下流側に接続されている。第２縦管２３の上端部は、地表に開口している。複数の第２縦管２３は、排水横管１２の長手方向に互いに間隔を空けて配置されている。
第１縦管２１及び第２縦管２３は、地中に埋設されている。
【００１９】
地表における各第２縦管２３に対応する位置には、例えば洋式の便器２６が据え付けられている。なお、複数の便器２６のうち最も上流側に位置する便器２６を、便器２６Ａとも呼ぶ。排水横管１２は、第１縦管２１が接続された部分よりも第２縦管２３を介して便器２６が接続された部分の方が下方となるように、水平面に対して傾いている。
便器２６は、第２縦管２３の上端部に接続され、第２縦管２３を介して排水横管１２に接続されている。便器２６毎に個室２７ａが形成されるように、地表に仮設小屋２７が設置されている。
排水横管１２の第２端部１２ｂには、マンホール２９が接続されている。マンホール２９には、既設の下水管に接続された流出管３０が接続されている。マンホール２９及び流出管３０は、地中に埋設されている。
【００２０】
なお、仮設トイレ１１が備える第２縦管２３の数、及び便器２６の数は複数に限定されず、それぞれ１つでもよい。
【００２１】
図２に示すように、水位計４１は、浮体４２と、寸切りボルト（線状部材）４３と、第１指標４４と、第２指標４５と、蓋部４６と、パイプ（管状部材）４７と、キャップ（収容部材）４８と、を有している。
浮体４２は、樹脂等により中空の球殻状に形成されている。浮体４２内には、空気等が収容されている。浮体４２全体としての比重は、１よりも小さい。このため、浮体４２は排水横管１２内の水に浮かぶ。より詳しく説明すると、浮体４２、寸切りボルト４３、第１指標４４、及び第２指標４５の質量の合計よりも、浮体４２の体積に等しい水の質量の方が大きい。このため、浮体４２に作用する浮力により、浮体４２は上方に移動する。
【００２２】
寸切りボルト４３は、金属等で線状に形成されている。寸切りボルト４３の外周面には、図示しない雄ネジが形成されている。寸切りボルト４３の長さは、例えば約１．２ｍであるが、詳しくは後述する。寸切りボルト４３の下端部は、浮体４２に対して回転可能に固定されている。寸切りボルト４３は、可撓性を有していて、水の流れによる力を受けると撓む。なお、線状部材は寸切りボルト４３に限定されず、例えば金属製のワイヤ等でもよい。
寸切りボルト４３は、第１縦管２１内に挿入されている。
【００２３】
図２及び図３に示すように、蓋部４６は、天壁部５１と、周壁部５２と、取っ手５３と、を備えている。
天壁部５１は、円板状に形成され、水平面に沿って配置されている。天壁部５１には、平面視で円形状の窓孔（貫通孔）５１ａ及び注水孔５１ｂが、天壁部５１の中心軸を挟むように形成されている。この例では、窓孔５１ａの内径よりも注水孔５１ｂの内径の方が大きい。
天壁部５１の下面における窓孔５１ａの開口周縁部には、円筒状の給水用ソケット５５が下方に向かって延びるように配置されている。天壁部５１の上面における窓孔５１ａの開口周縁部には、円筒状のバルブ用ソケット５６が上方に向かって延びるように配置されている。天壁部５１の窓孔５１ａの内径、給水用ソケット５５の内径、及びバルブ用ソケット５６の内径は、互いに同等である。
これら天壁部５１の窓孔５１ａ及びソケット５５，５６内に、寸切りボルト４３の上端部が挿入されている。
【００２４】
注水孔５１ｂは、円柱状のゴム栓５７により封止されている。ゴム栓５７は、注水孔５１ｂに上方から圧入されている。
【００２５】
天壁部５１の上面における窓孔５１ａと注水孔５１ｂとの間には、取っ手５３が取り付けられている。
周壁部５２は、天壁部５１の外周縁部から下方に向かって突出している。周壁部５２の外径は、天壁部５１の外径よりも小さい。周壁部５２は、天壁部５１と同軸に配置されている。周壁部５２の外周面には、パッキン等の封止部材が取付けられていることが好ましい。
蓋部４６は、第１縦管２１の上端開口縁上に天壁部５１の外周縁部を配置した状態で、周壁部５２の封止部材が第１縦管２１の内周面に気密に接触することで、第１縦管２１の上端部に着脱可能に取付けられている。
【００２６】
第１指標４４は、例えばＭＣナイロン等の樹脂で円筒状に形成されている。第１指標４４は、青色である。第２指標４５は、例えばポリエチレン等の樹脂で円筒状に形成されている。第２指標４５は、白色である。第１指標４４の外径、及び第２指標４５の外径は、互いに同等である。第１指標４４の内径、及び第２指標４５の内径は、互いに同等である。第１指標４４の下端部は、下方に向かって突となる半球面状に形成されている。
第１指標４４と第２指標４５とは、ＪＩＳ  Ｚ  ８７３０：２００９で規定される色差が１０以上異なることが好ましく、２０以上異なることがより好ましい。色差を規定する表示系としては、Ｌ＊ｕ＊ｖ＊表示系を用いることが好ましい。
【００２７】
第２指標４５は、第１指標４４の上方に連なるように配置されている。第１指標４４及び第２指標４５内には、寸切りボルト４３の上端部が挿入されている。例えば、第１指標４４及び第２指標４５は、寸切りボルト４３の雄ネジとのネジ嵌合により、寸切りボルト４３に固定されている。なお、第１指標４４及び第２指標４５と寸切りボルト４３との固定方法は、ネジ嵌合に限定されず、接着等でもよい。第１指標４４及び第２指標４５は、天壁部５１の上面における窓孔５１ａ及びバルブ用ソケット５６内に挿入されている。
【００２８】
パイプ４７は、樹脂等により形成されている。パイプ４７の内径は、浮体４２の外径よりも小さい。パイプ４７は、上下方向に沿って延びるように配置されている。パイプ４７の上端部は、給水用ソケット５５内に挿入された状態で蓋部４６に固定されている。パイプ４７の内部には、寸切りボルト４３がパイプ４７の長手方向に移動可能に挿入されている。
バルブ用ソケット５６から上方に白色の第２指標４５のみが突出している状態からパイプ４７に対して寸切りボルト４３が下方に移動しないように、パイプ４７にストッパーを設けてもよい。
【００２９】
図２及び図４に示すように、キャップ４８の下面には、上方に向かって凹む凹部４８ａが形成されている。この例では、キャップ４８は、有頂円筒状に形成されている。キャップ４８の側壁部には、側壁部を厚さ方向に貫通する側部開口４８ｂが形成されている。側部開口４８ｂの下端は、側壁部の下端に達している。キャップ４８の天壁部には、側壁部と同軸に連通孔４８ｃが形成されている。
キャップ４８は、樹脂等で一体に形成されている。連通孔４８ｃの上部に、座繰りを形成しておくことが好ましい。
【００３０】
キャップ４８の連通孔４８ｃ内には、パイプ４７の下端部が挿入されている。キャップ４８は、パイプ４７の下端部に接着等により固定されている。なお、キャップ４８をパイプ４７に固定する方法は、特に限定されない。天壁部における連通孔４８ｃの開口周縁部をソケット５５，５６で上下方向に挟み込み、これらのソケット５５，５６にパイプ４７を接着剤等で固定してもよいし、ボルトやナット等の締結部材を用いて固定してもよい。
凹部４８ａの内部には、浮体４２が収容可能である。なお、キャップ４８は、浮体４２が上方に移動するのを規制するストッパーの役割を果す。
【００３１】
次に、以上のように構成された仮設トイレシステム１の動作（仮設トイレシステム１を用いた汚物搬送方法）について説明する。仮設トイレシステム１は、災害時等に使用される。
予め、仕切弁１５の弁本体１５ａは開放状態であり、排水横管１２内に水はないとする。浮体４２は水に浮いていなく、バルブ用ソケット５６から上方に白色の第２指標４５のみが突出している。浮体４２は、キャップ４８から下方に離間している。
操作者は、操作ロッド１５ｂを操作して弁本体１５ａを遮蔽状態にする。蓋部４６の注水孔５１ｂからゴム栓５７を取外す。蓋部４６の注水孔５１ｂ内に、図示しない貯水タンクに接続されたホース等を挿入し、第１縦管２１を通して排水横管１２内に給水する。排水横管１２内に水が溜まると、排水横管１２内の水位が上昇する。浮体４２の下部が水に浸かることで、浮体４２に浮力が作用する。浮体４２が、寸切りボルト４３、第１指標４４、及び第２指標４５とともに上方に移動する。このとき、パイプ４７の内部に寸切りボルト４３が挿入されているため、寸切りボルト４３は折れ曲ることなく、パイプ４７に沿って確実に上方に移動する。
【００３２】
単位時間当たりの給水量が多く、排水横管１２内を下流側に向かって流れる水の流量が多い場合等には、上方から下方に向かう流れ等により浮体４２が水中に沈んでしまう場合がある。しかし、浮体４２の上方にキャップ４８が配置されているため、上方から下方に向かって流れて浮体４２に当たる水の流れをキャップ４８が抑え、浮体４２が水中に沈んでしまうのを抑制することができる。
このとき、キャップ４８は浮体４２上の傘のように作用する。
【００３３】
例えば、さらに排水横管１２内に給水して、図５に示すように、排水横管１２内の水位が弁本体１５ａの上端の高さ（所定の高さ）になったときに、青色の第１指標４４がバルブ用ソケット５６から上方に突出する。操作者は、バルブ用ソケット５６が上方に突出しているものが、白色の第２指標４５から青色の第１指標４４に変化したことを水位計４１の外部から目視により認識することで、排水横管１２内の水位が弁本体１５ａの上端の高さになったことを認識する。排水横管１２内の水位が弁本体１５ａの上端の高さになったときに、バルブ用ソケット５６から第１指標４４が突出するように、寸切りボルト４３の長さが設定されている。操作者は、ホース等を用いた給水を止める。災害時には水が貴重であるため、給水時に弁本体１５ａから水があふれるのが防止される。また、給水は手動のポンプ等を用いて行われるため、水位計４１で水位を検出することで、必要以上に給水をしてしまうことが防止される。
なお、排水横管１２のうち水位計４１で水位を検出する部分は、排水横管１２が第１端部１２ａが上方となるように傾いているため、排水横管１２内において水位が比較的低くなる部分である。
【００３４】
給水を止めたときに、排水横管１２の内径に対する便器２６Ａの下方における水深の比率が２２％以上（便器２６Ａの下方における排水横管１２の水深が１５ｃｍ以上）となるように初期水を貯水することが好ましい。
なお、浮体４２が上下方向の所望の位置にあるときにバルブ用ソケット５６から第１指標４４が突出するように、寸切りボルト４３の長さが適宜設定されてもよい。
浮体４２が上方に移動してキャップ４８の凹部４８ａの内部に収容されてキャップ４８から取外しにくくなった場合には、側部開口４８ｂを通して器具等をキャップ４８の天壁部と浮体４２との間に挿入して、キャップ４８から浮体４２を取外す。これにより、浮体４２の取外しが容易になる。
【００３５】
使用者が、仮設小屋２７の個室２７ａ内で便器２６を使用する。便器２６から下方に汚物が落ちると、汚物は、水とともに排水横管１２内に貯留され、図５に二点鎖線で示す位置まで排水横管１２内の水面が上昇する。弁本体１５ａの上端よりも上方にある水はオーバーフローし、弁本体１５ａの上方を通って、マンホール２９内に流れ込む。マンホール２９内に流れ込んだ水は、流出管３０を通って下流側に流れる。
排水横管１２は、第２端部１２ｂが下方となるように傾いているため、水中の汚物は排水横管１２内で第２端部１２ｂ側に流れる。
【００３６】
操作者は、このように初期水を貯水した状態で、１日に１回程度、操作ロッド１５ｂを操作して弁本体１５ａを開放状態にする。排水横管１２内の汚物が水とともに排水され、マンホール２９内に流れ込む。マンホール２９内に流れ込んだ水や汚物は、流出管３０を通って下流側に流れる。排水と注水の頻度は、排水に十分な量の水を溜めるのとオーバーフローを防ぐために、２０〜２８時間に１回が好ましい。
排水横管１２を排水したら、弁本体１５ａを遮蔽状態にする。前述のように、水位計４１を用いて排水横管１２内の水位が弁本体１５ａの上端の高さになるまで給水する。
このようにして、仮設トイレシステム１は例えば３日間程度使用される。なお、災害発生後４日目になると、被災地に自衛隊が派遣されたり支援物資が到着したりして、仮設トイレシステム１が使用されなくなることが想定される。
【００３７】
（実施例）
以下では、本発明の実施例を具体的に示してより詳細に説明するが、本発明は以下の実施例に限定されるものではない。
排水本管１３の内径を４５０ｍｍとし、排水横管１２の勾配を５％以上とした。複数の便器２６を設置する範囲が、最長２０ｍ以上と広くても、便器２６Ａの下方における排水横管１２の水深が２０ｃｍあれば、汚物は下流側に流れる。なお、複数の便器２６のうち、便器２６Ａの下方における排水横管１２の水深が最も浅くなる。
便器２６が２０ｍの範囲にピッチを２ｍで設置されるとし、便器２６の１基、１日当たりの使用人数（し尿見込み量）を１００人とする。１日当たりのし尿見込み量の半分しかない場合でも、初期の水深が１０ｃｍ（初期の排水横管１２の内径に対する便器２６Ａの下方における水深の比率が２２％、オーバーフロー時の排水横管１２の内径に対する便器２６Ａの下方における水深の比率が８０％）以上あれば、初期の水とし尿とによる水深が、２０ｃｍ以上確保され、排水横管１２内の汚物が下流側に確実に流れることが、擬似汚物を使った実験から分かった。さらに、排水本管１３の内径を４００ｍｍ及び５００ｍｍとし、上記と同じ条件で実験したところ、擬似汚物が下流側に確実に流れた。
【００３８】
以上説明したように、本実施形態の水位計４１によれば、排水横管１２内の水位が上昇するにしたがって、浮体４２に作用する浮力により、浮体４２とともに寸切りボルト４３、第１指標４４、及び第２指標４５が上方に移動する。バルブ用ソケット５６から第１指標４４が上方に突出したことを操作者が水位計４１の外部から目視により認識することで、仮設トイレ１１の排水横管１２内の水位が弁本体１５ａの上端の高さになったことを容易に検出することができる。
【００３９】
第１指標４４と第２指標４５とは、色差が１０以上異なる。第１指標４４と第２指標４５とを色差の違いにより目視で確実に識別することができるため、仮設トイレ１１の排水横管１２内の水位が弁本体１５ａの上端の高さになったことをさらに容易に検出することができる。
水位計４１が、パイプ４７を備える。パイプ４７により寸切りボルト４３が長手方向に沿って移動するのを案内することができ、浮体４２に作用する浮力により、第１指標４４をバルブ用ソケット５６からより確実に上方に突出させることができる。
【００４０】
水位計４１が浮体４２を上方から覆うキャップ４８を備えることで、浮体４２の上方から浮体４２に向かって流れる水により浮体４２が上方に移動しにくくなるのを抑えることができる。
災害時には動力や電力を確保することは困難であるが、本実施形態の水位計４１は動力や電力を使用することなく、排水横管１２内の水位を検出することができる。
また、本実施形態の仮設トイレシステム１によれば、排水横管１２内において水位が比較的低くなる第１端部１２ａ側の水位を、水位計４１により検出することができる。そして、排水横管１２内の水位を十分に確保した状態で仮設トイレ１１を使用することで、排水横管１２内の汚物を下流側に流しやすくすることができる。
【００４１】
また、本実施形態の汚物搬送方法によれば、水がオーバーフローするまで初期水を注水していた従来の方法に比べて、弁本体１５ａからオーバーフローする初期水を少なくして汚物を搬送することができる。災害時には貴重となる水を節約することができる。
【００４２】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、第１指標４４と第２指標４５とは、外径が互いに同一で、色差が１０以上異なるとした。しかし、第１指標と第２指標との色差が互いに異ならずに、第１指標と第２指標との形状が異なるようにしてもよい。例えば、第１指標及び第２指標がそれぞれ円筒状であり、第２指標の外径よりも第１指標の外径の方を大きくする。
【００４３】
蓋部４６に給水用ソケット５５及びバルブ用ソケット５６が設けられなくてもよい。この場合、排水横管１２内の水位が弁本体１５ａの上端の高さになったときに、第１指標４４が蓋部４６の窓孔５１ａから上方に突出する。
水位計４１は、排水横管１２内の水位が上昇したときに、第１指標４４がバルブ用ソケット５６から上方に突出するように構成された。しかし、水位計は、排水横管１２内の水位が下降したときに、浮体４２とともに寸切りボルト４３及び第１指標４４が下方に移動して、第１指標４４がバルブ用ソケット５６内に没入するように構成してもよい。
水位計４１は、第２指標４５、パイプ４７、及びキャップ４８を備えなくてもよい。
また、初期水は上水であっても中水であってもよい。
【符号の説明】
【００４４】
１    仮設トイレシステム
１１  仮設トイレ
１２  排水横管
２１  第１縦管（縦管）
２６  便器
４１  水位計
４２  浮体
４３  寸切りボルト（線状部材）
４４  第１指標
４５  第２指標
４６  蓋部
４７  パイプ（管状部材）
４８  キャップ（収容部材）
４８ａ  凹部
５１ａ  窓孔（貫通孔）
【図１】
2018205269.tif 000003
【図２】
2018205269.tif 000004
【図３】
2018205269.tif 000005
【図４】
2018205269.tif 000006
【図５】
2018205269.tif 000007